(57)【要約】【課題】遊技者により新鮮な印象を与えることが可能な発光演出を行うことができるパチンコ遊技機を提供する。【解決手段】演出役物１００を具備する遊技機１であって、演出役物１００は、内側部材１１０に設けられ可動自在な第一透光部材１２０と、第一透光部材１２０を駆動する透光部材駆動機構１３０と、後方から光を照射する発光源１５０と第一透光部材１２０を前方から覆う第一の状態と、露出させる第二の状態と、の間で切り換え可能な外側部材１６０と、外側部材１６０に配置される第二透光部材１７０と、外側部材１６０の状態を切り換える外側部材駆動機構１８０と、を具備し、発光源１５０からの光を第一透光部材１２０及び第二透光部材１７０を介して前方に照射する第一の発光演出と、発光源１５０からの光を第二透光部材１７０を介することなく前方に照射する第二の発光演出と、を行う。【選択図】図１２
2013094465.tif 000002
【特許請求の範囲】
【請求項１】
図柄遊技と関連して発光演出を行う発光装飾装置を具備するパチンコ遊技機であって、
前記発光装飾装置は、
内側部材と、
前記内側部材に設けられ、透光面から出射される光を変化させるように可動自在な第一の透光部材と、
前記第一の透光部材を駆動する第一の駆動機構と、
前記第一の透光部材の後方に配置され、当該第一の透光部材に向けて光を照射する照光部材と、
前記内側部材の前方に配置され、当該内側部材の前記第一の透光部材を前方から覆う第一の状態と、当該第一の透光部材を前方から見て露出させる第二の状態と、の間で切り換え可能な外側部材と、
前記外側部材に設けられ、当該外側部材が前記第一の状態であるときに前記内側部材の前記第一の透光部材の前方に位置するように配置される第二の透光部材と、
前記外側部材を前記第一の状態と前記第二の状態との間で切り換え駆動する第二の駆動機構と、
を具備し、
前記第二の駆動機構により前記外側部材を前記第一の状態とするとともに、前記第一の駆動機構により前記第二の透光部材に入射される光を変化させるように前記第一の透光部材を駆動し、前記照光部材からの光を前記第一の透光部材及び前記第二の透光部材を介して前方に照射する第一の発光演出と、
前記第二の駆動機構により前記外側部材を前記第一の状態から前記第二の状態に切り換え、前記照光部材からの光を前記第一の透光部材を介し、かつ前記第二の透光部材を介することなく前方に照射する第二の発光演出と、
を行うことを特徴とするパチンコ遊技機。
【請求項２】
前記第一の透光部材は、
所定の着色が付された装飾を前記透光面に有し、遊技者から見て当該装飾が回転するように前記内側部材に回転可能に配置されることを特徴とする請求項１に記載のパチンコ遊技機。
【発明の詳細な説明】
【技術分野】
【０００１】
本発明は、図柄遊技と関連して発光演出を行う発光装飾装置を具備するパチンコ遊技機の技術に関する。
【背景技術】
【０００２】
従来図柄遊技と関連して発光演出を行う発光装飾装置を具備するパチンコ遊技機の技術は公知となっている。例えば、特許文献１、特許文献２又は特許文献３に記載の如くである。
【０００３】
特許文献１、特許文献２又は特許文献３に記載のパチンコ遊技機が備える発光装飾装置では、発光演出を行うことにより、通常と異なる遊技状態が発生していることを遊技者に感じさせて期待感を喚起したり、当該発光装飾装置を可動役物に搭載して当該役物の作動と連係することで興趣性を向上させたりすることができる。
【先行技術文献】
【特許文献】
【０００４】
【特許文献１】特開２００８−１１３９５３号公報
【特許文献２】特開２０１０−１１９６６３号公報
【特許文献３】特開２０１１−３０８４７号公報
【発明の概要】
【発明が解決しようとする課題】
【０００５】
本発明が解決しようとする課題は、遊技者により新鮮な印象を与えることが可能な発光演出を行うことができるパチンコ遊技機を提供するものである。
【課題を解決するための手段】
【０００６】
本発明の解決しようとする課題は以上の如くであり、次にこの課題を解決するための手段を説明する。
【０００７】
即ち、請求項１においては、図柄遊技と関連して発光演出を行う発光装飾装置を具備するパチンコ遊技機であって、前記発光装飾装置は、内側部材と、前記内側部材に設けられ、透光面から出射される光を変化させるように可動自在な第一の透光部材と、前記第一の透光部材を駆動する第一の駆動機構と、前記第一の透光部材の後方に配置され、当該第一の透光部材に向けて光を照射する照光部材と、前記内側部材の前方に配置され、当該内側部材の前記第一の透光部材を前方から覆う第一の状態と、当該第一の透光部材を前方から見て露出させる第二の状態と、の間で切り換え可能な外側部材と、前記外側部材に設けられ、当該外側部材が前記第一の状態であるときに前記内側部材の前記第一の透光部材の前方に位置するように配置される第二の透光部材と、前記外側部材を前記第一の状態と前記第二の状態との間で切り換え駆動する第二の駆動機構と、を具備し、前記第二の駆動機構により前記外側部材を前記第一の状態とするとともに、前記第一の駆動機構により前記第二の透光部材に入射される光を変化させるように前記第一の透光部材を駆動し、前記照光部材からの光を前記第一の透光部材及び前記第二の透光部材を介して前方に照射する第一の発光演出と、前記第二の駆動機構により前記外側部材を前記第一の状態から前記第二の状態に切り換え、前記照光部材からの光を前記第一の透光部材を介し、かつ前記第二の透光部材を介することなく前方に照射する第二の発光演出と、を行うことを特徴とするものである。
【０００８】
請求項２においては、前記第一の透光部材は、所定の着色が付された装飾を前記透光面に有し、遊技者から見て当該装飾が回転するように前記内側部材に回転可能に配置されることを特徴とするものである。
【発明の効果】
【０００９】
本発明の効果として、以下に示すような効果を奏する。
【００１０】
請求項１において、第一の発光演出にあたっては、第一の透光部材は前方から外側部材に覆われており、当該外側部材には第二の透光部材が設けられているため、遊技者は直接的には第二の透光部材の形状、装飾及び着色等に応じた光模様を視認することになる。しかし、第二の透光部材に入射される光は、第一の透光部材の透光面を透過したものであり、この光は、第一の駆動機構により第一の透光部材が駆動されて変化が与えられたものである。このため、遊技者の目に届く光は、第二の透光部材の形状等に応じた光模様に、第一の透光部材を透過する際に付与された変化が加えられるものとなり、第二の透光部材のみを介する場合に比べて光模様が複雑化し、視覚的効果の高い発光演出を行うことができる。
また、第二の発光演出にあたっては、外側部材により第一の透光部材を覆った状態から第一の透光部材を露出させて発光演出を行うため、遊技者に対し、直前まで視認されなかった、或いは視認が困難であった第一の透光部材が突然出現して発光するかのような印象を与えることができ、意外性のある発光演出を行うことができる。
そして、上記の第一の発光演出（内側部材の第一の透光部材及び外側部材の第二の透光部材による複合的な発光演出）と、上記の第二の発光演出（内側部材の第一の透光部材のみの単独的な発光演出）とを組み合わせることで、発光演出のバリエーションを増やして多様化を図りつつ、遊技者に新鮮な印象を与えることが可能な発光演出を提供することができる。
【００１１】
請求項２において、第一の発光演出にあたっては、第一の透光部材の透光面の装飾が回転することで第一の透光部材を透過する光の発光模様が回転するように変化し、その光が第二の透光部材に入射されるため、第二の透光部材を介して視認される光が変化に富んだものとなってさらに複雑化し、より印象的な発光演出を実現することができる。
また、第二の発光演出にあたっても、第一の透光部材を駆動させれば、発光模様が変化する光に加えて、第一の透光部材の透光面の装飾が回転する様子を遊技者に見せることができ、視覚的効果を高めることができる。
【図面の簡単な説明】
【００１２】
【図１】本発明の一実施形態に係る遊技機の正面図。
【図２】同じく、遊技機の窓枠が開放された状態を示した前方斜視図。
【図３】同じく、遊技盤を示した正面図。
【図４】外側部材が第一の状態にあるときの演出役物を示した正面図。
【図５】同じく、背面図。
【図６】同じく、分解斜視図。
【図７】同じく、演出役物の透光部材駆動機構を示した背面図。
【図８】同じく、演出役物の外側部材駆動機構のみを示した背面図。
【図９】（ａ）同じく、外側部材駆動機構の動作態様を示した背面図。（ｂ）同じく、外側部材駆動機構の動作態様を示した背面図。
【図１０】外側部材が第二の状態にあるときの演出役物を示した背面図。
【図１１】同じく、演出役物の透光部材駆動機構を示した背面図。
【図１２】同じく、外側部材が第二の状態にあるときの演出役物を示した正面図。
【図１３】同じく、外側部材が第二の状態にあるときの遊技盤を示した正面図。
【図１４】第二の姿勢に変更された演出役物を示した正面図。
【図１５】同じく、演出役物が第二の姿勢に変更されたときの遊技盤を示した正面図。
【図１６】第二の姿勢にある際に外側部材が第二の状態になったときの演出役物を示した正面図。
【図１７】同じく、第二の姿勢にある際に外側部材が第二の状態になったときの遊技盤を示した正面図。
【図１８】演出役物の他の実施形態を示す分解斜視図。
【発明を実施するための形態】
【００１３】
まず、本発明に係るパチンコ遊技機の一実施形態に係る遊技機１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１４】
遊技機１は、図１から図３が示すように、主として、外枠２と、中枠３と、窓枠４と、により構成される枠体に、各種の遊技部品が取り付けられて形成される。
【００１５】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１６】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１７】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１８】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００１９】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００２０】
次に、遊技盤６の構成について、図３を用いてさらに詳細に説明する。
【００２１】
遊技盤６は、図３に示すように、遊技板１０と、ガイドレール１１と、センター役物１２と、図柄表示装置１３と、可変入賞装置１４と、大入賞装置１５と、アウト口１６と、演出役物１００等により構成される。
【００２２】
遊技板１０は、四隅が適宜に切り欠けられた略平板状に形成される部材である。遊技板１０には、遊技盤６を構成する各種の遊技部品が取り付けられる。遊技板１０は、アクリル樹脂やポリカーボネート（ＰＣ）等の透過性を有する部材によって形成される。
【００２３】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２４】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に渡って形成される孔に前方から挿入され、ボルト等によって取り付けられる。
【００２５】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２６】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の中央下部であって図柄表示装置１３の下方に配置される。なお、可変入賞装置１４は、前記開放状態において始動入賞口１４ａに遊技球が入球（入賞）すると図示せぬ賞球払出装置によって所定数の遊技球（賞球）が払い出されるように構成される。
【００２７】
大入賞装置１５は、所定の大当たり抽選により大当たりが選択されると、大入賞口１５ａを開放して遊技球が入球（入賞）可能に構成される装置である。大入賞装置１５は、遊技領域２５の右部であって図柄表示装置１３の右下方に配置される。なお、大入賞装置１５は、開放した大入賞口１５ａに遊技球が入球すると図示せぬ賞球払出装置によって所定数の遊技球（賞球）が払い出されるように構成される。
【００２８】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、遊技機１が設置されたパチンコホール等の遊技場側に回収される。
【００２９】
演出役物１００は、本発明に係る発光装飾装置の実施の一形態であり、図柄表示装置１３による図柄遊技と関連して所定の演出動作を行うことにより、遊技者に視覚的な印象（インパクト）を与え、その遊技者の興趣を高めるものである。演出役物１００は、図柄表示装置１３（液晶画面２６）の下方であって、前後方向においてセンター役物１２と液晶画面２６との間、すなわちセンター役物１２よりも後方であって液晶画面２６よりも前方に配置される。また、演出役物１００は、正面視においてセンター役物１２のセンター開口部２７と重複するように配置され、前方から当該センター開口部２７を介して演出役物１００を視認することができる。
【００３０】
以下では、演出役物１００の構成について詳細に説明する。
【００３１】
図３から図１７までに示す演出役物１００は、麻雀に用いられる点棒の形状を模したものであり、所定の演出動作を行うことにより、遊技者に視覚的な印象（インパクト）を与え、その遊技者の興趣を高めるものである。演出役物１００は、主として、内側部材１１０と、第一透光部材１２０と、透光部材駆動機構１３０と、内側部材駆動機構１４０と、発光源１５０と、外側部材１６０と、第二透光部材１７０と、外側部材駆動機構１８０と、により構成される。
なお、図７及び図１１においては、説明の便宜上、外側部材駆動機構１８０の図示を省略している。
【００３２】
図４から図７までに示す内側部材１１０は、後方が開放された略直方体状のものである。内側部材１１０には、透光部１１１及び回動軸１１２が設けられる。
【００３３】
透光部１１１は、透光性を有する材料で構成され、内側部材１１０の前面を前後方向に貫通するように設けられる。透光部１１１は、正面視円形状に形成され、内側部材１１０の前面であって長手方向（図４から図７までにおける左右方向）中途部に配置される。
【００３４】
回動軸１１２は、その軸線を前後方向に向けて、内側部材１１０の一端部（図４から図７までにおける左端部）に配置される。回動軸１１２は、内側部材１１０と相対回動不能となるように、当該内側部材１１０に固定（又は一体的に形成）される。回動軸１１２の両端は、内側部材１１０から前方及び後方に向かってそれぞれ延設される。
回動軸１１２の前端部は、遊技盤６（図３参照）に回動可能に支持される。これによって、内側部材１１０は遊技盤６に対して回動軸１１２を中心として回動可能となる。
【００３５】
図６に示す第一透光部材１２０・１２０・・・は、透光性を有する材料で構成され、内側部材１１０の前面を前後方向に貫通するように設けられる。第一透光部材１２０・１２０・・・は、正面視円形状に形成され、内側部材１１０の前面であって図６における透光部１１１の右方において、長手方向（図６における左右方向）に並べて配置される。第一透光部材１２０・１２０・・・は、内側部材１１０に対して前後方向の軸線を中心として回動（回転）可能となるように支持される。第一透光部材１２０・１２０・・・の前面（透光面）には、それぞれ第一装飾１２１及び第二装飾１２２が施される。
【００３６】
第一装飾１２１は、炎を模した形状に形成される装飾部分であり、第一透光部材１２０のその他の部分と異なる色に着色される。
第二装飾１２２は、所定の形状（本実施形態においては三角形状）に形成される装飾部分である。
【００３７】
図７に示す透光部材駆動機構１３０は、本発明に係る第一の駆動機構の実施の一形態であり、第一透光部材１２０・１２０・・・を駆動（回動）させるものである。透光部材駆動機構１３０は、主として、モータ１３１と、従動ギヤ１３２と、透光部材駆動ギヤ１３３と、伝達ギヤ１３４と、により構成される。
【００３８】
モータ１３１は、第一透光部材１２０・１２０・・・を回動させるための駆動源である。モータ１３１は、内側部材１１０の左端部後方に配置される。
【００３９】
従動ギヤ１３２は、透光性を有する材料で構成され、内側部材１１０の透光部１１１の背後に回動可能に配置される。従動ギヤ１３２は、モータ１３１の出力軸に連結された図示せぬ出力ギヤに歯合される。
【００４０】
透光部材駆動ギヤ１３３・１３３・・・は、透光性を有する材料で構成され、各第一透光部材１２０・１２０・・・の背後にそれぞれ配置される。透光部材駆動ギヤ１３３・１３３・・・は、当該透光部材駆動ギヤ１３３・１３３・・・の前方にある第一透光部材１２０・１２０・・・と相対回動不能となるようにビス等により連結される。
【００４１】
伝達ギヤ１３４・１３４・・・は、従動ギヤ１３２及び透光部材駆動ギヤ１３３・１３３・・・の間で動力を伝達するものである。伝達ギヤ１３４・１３４・・・は、従動ギヤ１３２と最も左側に配置される透光部材駆動ギヤ１３３の間、及び隣り合う透光部材駆動ギヤ１３３・１３３の間にそれぞれ配置され、隣り合うギヤ（従動ギヤ１３２と透光部材駆動ギヤ１３３、又は透光部材駆動ギヤ１３３同士）の間で動力を伝達する。
【００４２】
図４から図７までに示す内側部材駆動機構１４０は、内側部材１１０を、回動軸１１２を中心として回動させるものである。内側部材駆動機構１４０は、主として、モータ１４１と、出力ギヤ１４２と、従動ギヤ１４３と、により構成される。
【００４３】
モータ１４１は、内側部材１１０を回動させるための駆動源である。モータ１４１は、その出力軸を前方に向けた状態で、内側部材１１０の一側方（図４から図７までにおける左側方）に配置される。
【００４４】
出力ギヤ１４２は、モータ１４１の出力軸に固定される。
従動ギヤ１４３は、内側部材１１０の回動軸１１２の後端部に固定され、出力ギヤ１４２に歯合される。
【００４５】
図５から図７までに示す発光源１５０は、本発明に係る照光部材の実施の一形態であり、第一透光部材１２０・１２０・・・に向けて光を照射するものである。発光源１５０は、主として、基板１５１と、ＬＥＤ１５２と、により構成される。
【００４６】
基板１５１は、略矩形板状に形成され、その板面を前後方向に向けて、内側部材１１０（より詳細には、透光部材駆動機構１３０の従動ギヤ１３２及び透光部材駆動ギヤ１３３・１３３・・・）の後方に配置される。
【００４７】
ＬＥＤ１５２・１５２・・・は、基板１５１の前面に設けられ、従動ギヤ１３２及び透光部材駆動ギヤ１３３・１３３・・・の背後にそれぞれ配置される。
【００４８】
図４から図７までに示す外側部材１６０は、内側部材１１０の前方に配置され、第一透光部材１２０・１２０・・・を前方から覆う第一の状態と、第一透光部材１２０・１２０・・・を前方から見て露出させる第二の状態と、の間で切り換え可能なものである。外側部材１６０は、主として、第一外側部材１６１と、第二外側部材１６２と、により構成される。
【００４９】
第一外側部材１６１は、前面、上面及び右側面を有する部材である。第一外側部材１６１は、内側部材１１０の前方に配置され、当該内側部材１１０の一部（透光部１１１よりも右側の上半分）を前方、上方及び右側方から覆うことができる。第一外側部材１６１の後側面上部には、後方に向かって延びる略円柱状の連結部１６１ａ・１６１ａが形成される（図７参照）。
【００５０】
第二外側部材１６２は、前面、下面及び右側面を有する部材である。第二外側部材１６２は、内側部材１１０の前方に配置され、当該内側部材１１０の一部（透光部１１１よりも右側の下半分）を前方、下方及び右側方から覆うことができる。第二外側部材１６２の後側面下部には、後方に向かって延びる略円柱状の連結部１６２ａ・１６２ａが形成される（図７参照）。
【００５１】
図４から図７までに示す外側部材１６０は、第一外側部材１６１と第二外側部材１６２とが上下に当接し、内側部材１１０に設けられた第一透光部材１２０・１２０・・・を前方から覆っている状態（外側部材１６０の第一の状態）である。
【００５２】
図４及び図６に示す第二透光部材１７０・１７０・・・は、透光性を有する材料で構成され、外側部材１６０（第一外側部材１６１及び第二外側部材１６２）の前面を前後方向に貫通するように設けられる。第二透光部材１７０・１７０・・・は、第一外側部材１６１及び第二外側部材１６２に、それぞれ長手方向（図６における左右方向）に並べて設けられ、第一外側部材１６１及び第二外側部材１６２が上下に当接した状態（第一の状態）において、第二透光部材１７０・１７０・・・全体で所定の文字列（本実施形態においては、「ＡＢＣＤ」の文字列）を構成するような形状に形成される。当該第二透光部材１７０・１７０・・・の外観は、第一透光部材１２０・１２０・・・の外観とは異なるものになるように形成される。第二透光部材１７０は、外側部材１６０が第一の状態にある場合には、内側部材１１０に設けられた第一透光部材１２０・１２０・・・の前方に位置するように配置される。
【００５３】
図５、図６及び図８に示す外側部材駆動機構１８０は、本発明に係る第二の駆動機構の実施の一形態であり、外側部材１６０を第一の状態と第二の状態との間で切り換え駆動するものである。外側部材駆動機構１８０は、主として、第一連結部材１８１と、第二連結部材１８２と、ガイド板１８３と、駆動板１８４と、モータ１８５と、出力ギヤ１８６と、により構成される。
【００５４】
第一連結部材１８１は、矩形板状に形成され、その板面を前後方向に向けて、発光源１５０の後方に配置される。第一連結部材１８１には、固定孔１８１ａ及びガイド軸１８１ｂが形成される。
【００５５】
固定孔１８１ａ・１８１ａは、第一連結部材１８１を前後方向に貫通するように、当該第一連結部材１８１の上部に形成される。当該固定孔１８１ａ・１８１ａには、第一外側部材１６１の連結部１６１ａ・１６１ａ（図７参照）の後端が挿入されて固定される。
【００５６】
ガイド軸１８１ｂ・１８１ｂは、第一連結部材１８１の後面下部から後方に向かって延設される略円柱状の部材である。
【００５７】
第二連結部材１８２は、矩形板状に形成され、その板面を前後方向に向けて、発光源１５０の後方かつ第一連結部材１８１の下方に配置される。第二連結部材１８２には、固定孔１８２ａ及びガイド軸１８２ｂが形成される。
【００５８】
固定孔１８２ａ・１８２ａは、第二連結部材１８２を前後方向に貫通するように、当該第二連結部材１８２の下部に形成される。当該固定孔１８２ａ・１８２ａには、第二外側部材１６２の連結部１６２ａ・１６２ａ（図７参照）の後端が挿入されて固定される。
【００５９】
ガイド軸１８２ｂ・１８２ｂは、第二連結部材１８２の後面下部から後方に向かって延設される略円柱状の部材である。
【００６０】
ガイド板１８３は、第一連結部材１８１のガイド軸１８１ｂ・１８１ｂ及び第二連結部材１８２のガイド軸１８２ｂ・１８２ｂを案内するものである。ガイド板１８３は、矩形板状に形成され、その板面を前後方向に向けて、第一連結部材１８１及び第二連結部材１８２の後方に配置される。ガイド板１８３は、適宜の方法（例えば、ビスによる締結）によって内側部材１１０に対して相対移動不能となるように固定される。ガイド板１８３には、長孔１８３ａが形成される。
【００６１】
長孔１８３ａ・１８３ａ・・・は、ガイド板１８３を前後方向に貫通するように、当該ガイド板１８３の右端部近傍及び左右中途部に、それぞれ上下に並ぶように形成される。長孔１８３ａ・１８３ａ・・・は、長手方向を上下方向に向けて形成される。
ガイド板１８３の上部に形成された２つの長孔１８３ａ・１８３ａには、第一連結部材１８１のガイド軸１８１ｂ・１８１ｂがそれぞれ挿通され、ガイド板１８３の下部に形成された２つの長孔１８３ａ・１８３ａには、第二連結部材１８２のガイド軸１８２ｂ・１８２ｂがそれぞれ挿通される。
【００６２】
駆動板１８４は、ガイド板１８３の長孔１８３ａ・１８３ａ・・・に挿通されたガイド軸１８１ｂ・１８１ｂ及びガイド軸１８２ｂ・１８２ｂを、当該長孔１８３ａ・１８３ａ・・・に沿って摺動させるものである。駆動板１８４は、板状に形成され、その板面を前後方向に向けて、ガイド板１８３の後方に配置される。駆動板１８４は、適宜の方法によって内側部材１１０に対して当該内側部材１１０の長手方向（図５、図６及び図８における左右方向）に摺動可能となるように支持される。駆動板１８４には、長孔１８４ａ及びラック部１８４ｂが形成される。
【００６３】
長孔１８４ａ・１８４ａ・・・は、駆動板１８４を前後方向に貫通するように、当該駆動板１８４の右端部近傍及び左右中途部に、それぞれ上下に並ぶように形成される。駆動板１８４の上部に形成された２つの長孔１８４ａ・１８４ａは、その長手方向が右下方から左上方に向かうように形成され、駆動板１８４の下部に形成された２つの長孔１８４ａ・１８４ａは、その長手方向が右上方から左下方に向かうように形成される。
駆動板１８４の上部に形成された２つの長孔１８４ａ・１８４ａには、第一連結部材１８１のガイド軸１８１ｂ・１８１ｂがそれぞれ挿通され、駆動板１８４の下部に形成された２つの長孔１８４ａ・１８４ａには、第二連結部材１８２のガイド軸１８２ｂ・１８２ｂがそれぞれ挿通される。
【００６４】
ラック部１８４ｂは、その歯が上方を向くようにして、駆動板１８４の左端部に形成される。
【００６５】
モータ１８５は、外側部材１６０を第一の状態と第二の状態との間で切り換え駆動するための駆動源である。モータ１８５は、その出力軸を前方に向けた状態で、駆動板１８４のラック部１８４ｂ近傍に配置される。モータ１８５は、適宜の方法によって内側部材１１０に対して相対移動不能となるように固定される。
【００６６】
出力ギヤ１８６は、モータ１８５の出力軸に固定され、駆動板１８４のラック部１８４ｂと歯合される。
【００６７】
以下では、上述の如く構成された演出役物１００の動作態様について説明する。演出役物１００は、所定の演出動作として第一の発光演出及び第二の発光演出を行うことができる。また、演出役物１００は、回動軸１１２を中心として回動することにより、その姿勢を変更することができる。
【００６８】
なお、透光部材駆動機構１３０のモータ１３１、内側部材駆動機構１４０のモータ１４１、発光源１５０及び外側部材駆動機構１８０のモータ１８５は、それぞれ図示せぬ役物制御装置に接続され、当該役物制御装置によってその動作が制御される。前記役物制御装置は、ＲＡＭやＲＯＭ等の記憶部、ＣＰＵ等の演算処理部等により構成されるものである。
【００６９】
まず、演出役物１００による第一の発光演出について説明する。
【００７０】
図３から図７までに示す演出役物１００においては、外側部材１６０は第一の状態、すなわち、第一外側部材１６１と第二外側部材１６２とが互いに当接し、内側部材１１０に設けられた第一透光部材１２０・１２０・・・を前方から覆っている状態にある。
【００７１】
外側部材１６０が第一の状態にあるときに、前記役物制御装置は、透光部材駆動機構１３０のモータ１３１を駆動させるとともに、発光源１５０のＬＥＤ１５２・１５２・・・を点灯させる。
【００７２】
図７に示すモータ１３１を駆動させると、当該モータ１３１の動力は従動ギヤ１３２及び伝達ギヤ１３４・１３４・・・を介して各透光部材駆動ギヤ１３３・１３３・・・に伝達される。各透光部材駆動ギヤ１３３・１３３・・・は全て同一方向（例えば、正面視反時計回り）に回動し、当該透光部材駆動ギヤ１３３・１３３・・・に連結された第一透光部材１２０・１２０・・・も全て同一方向に回動する。
【００７３】
また、発光源１５０のＬＥＤ１５２・１５２・・・から前方に向かって照射された光は、透光性を有する透光部材駆動ギヤ１３３・１３３・・・及び第一透光部材１２０・１２０・・・を介して当該第一透光部材１２０・１２０・・・の前方へと照射される。
【００７４】
この際、第一透光部材１２０・１２０・・・には、互いに色や形状の異なる複数の装飾（第一装飾１２１及び第二装飾１２２）が施されているため、当該第一透光部材１２０・１２０・・・を介して前方に照射される光は、それぞれの装飾に応じた色や影等が付与される。さらに、第一透光部材１２０・１２０・・・は回動しているため、当該第一透光部材１２０・１２０・・・を介して前方に照射される光の色や影等は、時々刻々と変化することになる。
【００７５】
このように、本実施形態では、第一透光部材１２０・１２０・・・・と透光部材駆動機構１３０によって、第一透光部材１２０・１２０・・・を介して前方へと照射される光に変化を与える機構を構成している。
【００７６】
また、第一透光部材１２０・１２０・・・を介して前方へと照射された光は、当該第一透光部材１２０・１２０・・・の前方に配置された透光性を有する第二透光部材１７０・１７０・・・へ照射され、当該第二透光部材１７０・１７０・・・を介してさらに前方へと照射される。
【００７７】
この際、第一透光部材１２０・１２０・・・を介して第二透光部材１７０・１７０・・・へ照射される光の色や影等は時々刻々と変化している。このため、遊技者には、第二透光部材１７０が単に一定の色や明るさで発光しているのではなく、当該第二透光部材１７０の発光の色や明るさ等が時々刻々と変化する様子（光模様）を視認させることができる。このため、当該遊技者に対して変化に富んだ光を視認させることができ、第一の発光演出の視覚的効果を高めることができる。
【００７８】
なお、前記役物制御装置は、発光源１５０の各ＬＥＤ１５２・１５２・・・を異なるタイミングで点灯及び消灯させることもできる。例えば、ＬＥＤ１５２・１５２・・・を右から左に順番に点灯させたり、各ＬＥＤ１５２・１５２・・・の点灯と消灯を互いに異なるタイミングで繰り返し行ったりすることができる。このように、各ＬＥＤ１５２・１５２・・・の点灯及び消灯を適宜制御することで、遊技者に対してより変化に富んだ光を視認させることができる。
【００７９】
次に、演出役物１００による第二の発光演出について説明する。
【００８０】
演出役物１００による第二の発光演出を行う場合、前記役物制御装置は、まず外側部材駆動機構１８０のモータ１８５を駆動させ、出力ギヤ１８６を背面視時計回りに回動させる（図８及び図９参照）。出力ギヤ１８６を背面視時計回りに回動させると、当該出力ギヤ１８６と歯合されたラック部１８４ｂを介して駆動板１８４が右方へと摺動する。
【００８１】
駆動板１８４が右方へと摺動すると、ガイド板１８３の上部に形成された２つの長孔１８３ａ・１８３ａと駆動板１８４の上部に形成された２つの長孔１８４ａ・１８４ａとの重複部分は徐々に（図８、図９（ａ）及び図９（ｂ）の順に）上方へと移動する。これに伴って、当該長孔１８３ａ・１８３ａ及び長孔１８４ａ・１８４ａに挿通された第一連結部材１８１のガイド軸１８１ｂ・１８１ｂも上方へと摺動し、ひいては第一連結部材１８１が上方へと摺動する。
【００８２】
また、駆動板１８４が右方へと摺動すると、ガイド板１８３の下部に形成された２つの長孔１８３ａ・１８３ａと駆動板１８４の下部に形成された２つの長孔１８４ａ・１８４ａとの重複部分は徐々に（図８、図９（ａ）及び図９（ｂ）の順に）下方へと移動する。これに伴って、当該長孔１８３ａ・１８３ａ及び長孔１８４ａ・１８４ａに挿通された第二連結部材１８２のガイド軸１８２ｂ・１８２ｂも下方へと摺動し、ひいては第二連結部材１８２が下方へと摺動する。
【００８３】
第一連結部材１８１のガイド軸１８１ｂ・１８１ｂが、当該ガイド軸１８１ｂ・１８１ｂが挿通された長孔１８３ａ・１８３ａの上端部まで摺動するとともに、第二連結部材１８２のガイド軸１８２ｂ・１８２ｂが、当該ガイド軸１８２ｂ・１８２ｂが挿通された長孔１８３ａ・１８３ａの下端部まで摺動した場合（図９（ｂ）及び図１０から図１３までを参照）、第一連結部材１８１に連結された第一外側部材１６１は上方に、第二連結部材１８２に連結された第二外側部材１６２は下方に、それぞれ移動している。この状態においては、第一外側部材１６１と第二外側部材１６２とは互いに離間し、前方から演出役物１００を見ると、当該第一外側部材１６１と第二外側部材１６２との間から第一透光部材１２０・１２０・・・が視認可能となる。すなわち、この状態においては、前方から見て第一透光部材１２０・１２０・・・が露出された状態（外側部材１６０の第二の状態）となる。
【００８４】
前記役物制御装置は、外側部材１６０を第二の状態に切り換えた後（又は、第一の状態から第二の状態へと切り換える途中）で、透光部材駆動機構１３０のモータ１３１を駆動させるとともに、発光源１５０のＬＥＤ１５２・１５２・・・を点灯させる。
【００８５】
図１１に示すモータ１３１を駆動させると、第一の発光演出の場合と同様に、第一透光部材１２０・１２０・・・は全て同一方向に回動する。
【００８６】
また、発光源１５０のＬＥＤ１５２・１５２・・・から前方に向かって照射された光は、透光性を有する透光部材駆動ギヤ１３３・１３３・・・及び第一透光部材１２０・１２０・・・を介して当該第一透光部材１２０・１２０・・・の前方へと照射される。
【００８７】
この際、第一透光部材１２０・１２０・・・を介して前方に照射される光の色や影等は、第一の発光演出の場合と同様に、時々刻々と変化することになる。
【００８８】
また、外側部材１６０が第二の状態にある場合には、前方から見て第一透光部材１２０・１２０・・・が露出している（図１２参照）ため、第一透光部材１２０・１２０・・・を介して前方へと照射された光は、第二透光部材１７０・１７０・・・を介することなく遊技者に視認される。
【００８９】
この場合、遊技者には、外側部材１６０が上下に割れて、その間から出現した第一透光部材１２０・１２０・・・が発光しながら回転する様子を視認させることができ、第二の発光演出の意外性を高めることができる。
【００９０】
なお、前記役物制御装置は、外側部材駆動機構１８０のモータ１８５を駆動させ、出力ギヤ１８６を背面視反時計回りに回動させることで、再び演出役物１００の外側部材１６０を第一の状態に戻すことができる。
また、前記役物制御装置は、外側部材１６０が第一の状態に戻った後に、透光部材駆動機構１３０のモータ１３１を駆動させるとともに、発光源１５０のＬＥＤ１５２・１５２・・・を点灯させることで、再び演出役物１００による第一の発光演出を行うことができる。
【００９１】
次に、演出役物１００が姿勢を変更する様子について説明する。
【００９２】
図３から図７まで、及び図１０から図１３までに示す演出役物１００は、その長手方向を左右方向に向けて配置されている。この状態においては、内側部材１１０の回動軸１１２側（左側）端を基端とすると、演出役物１００の先端は右方を指向する姿勢（第一の姿勢）になっている。
【００９３】
演出役物１００の姿勢を変更する場合、前記役物制御装置は、内側部材駆動機構１４０のモータ１４１を駆動させ、出力ギヤ１４２を正面視時計回りに回動させる（図１４参照）。出力ギヤ１４２を正面視時計回りに回動させると、当該出力ギヤ１４２と歯合された従動ギヤ１４３が正面視反時計回りに回動する。従動ギヤ１４３が正面視反時計回りに回動すると、当該従動ギヤ１４３に固定された回動軸１１２を介して内側部材１１０が、当該回動軸１１２を中心として正面視反時計回りに回動する。
【００９４】
このようにして、本実施形態においては、演出役物１００の姿勢を、その先端が右方を指向する姿勢（第一の姿勢）から、その先端が右上方を指向する姿勢（第二の姿勢）まで変更することができる（図１４及び図１５参照）。
【００９５】
演出役物１００の姿勢が、第二の姿勢に変更された状態であっても、前記役物制御装置は、透光部材駆動機構１３０のモータ１３１、外側部材駆動機構１８０のモータ１８５及び発光源１５０の動作を適宜制御することによって、前述と同様に演出役物１００による第一の発光演出及び第二の発光演出（図１６及び図１７参照）を行うことができる。
【００９６】
なお、前記役物制御装置は、内側部材駆動機構１４０のモータ１４１を駆動させ、出力ギヤ１４２を正面視反時計回りに回動させることで、再び演出役物１００の姿勢を、第二の姿勢から第一の姿勢に戻すことができる。
【００９７】
前記役物制御装置は、演出役物１００による第一の発光演出及び第二の発光演出のいずれも行わない場合、演出役物１００の姿勢を第一の姿勢に保持する（図４等参照）。この演出役物１００の状態を、非作動状態と称す。
【００９８】
以上の如く、本実施形態に係る遊技機１（パチンコ遊技機）は、図柄遊技と関連して発光演出を行う演出役物１００（発光装飾装置）を具備する遊技機１であって、演出役物１００は、内側部材１１０と、内側部材１１０に設けられ、透光面から出射される光を変化させるように可動自在な第一透光部材１２０・１２０・・・（第一の透光部材）と、第一透光部材１２０・１２０・・・を駆動する透光部材駆動機構１３０（第一の駆動機構）と、第一透光部材１２０・１２０・・・の後方に配置され、当該第一透光部材１２０・１２０・・・に向けて光を照射する発光源１５０（照光部材）と、内側部材１１０の前方に配置され、当該内側部材１１０の第一透光部材１２０・１２０・・・を前方から覆う第一の状態と、当該第一透光部材１２０・１２０・・・を前方から見て露出させる第二の状態と、の間で切り換え可能な外側部材１６０と、外側部材１６０に設けられ、当該外側部材１６０が前記第一の状態であるときに内側部材１１０の第一透光部材１２０・１２０・・・の前方に位置するように配置される第二透光部材１７０・１７０・・・（第二の透光部材）と、外側部材１６０を前記第一の状態と前記第二の状態との間で切り換え駆動する外側部材駆動機構１８０（第二の駆動機構）と、を具備し、外側部材駆動機構１８０により外側部材１６０を前記第一の状態とするとともに、透光部材駆動機構１３０により第二透光部材１７０・１７０・・・に入射される光を変化させるように第一透光部材１２０・１２０・・・を駆動し、発光源１５０からの光を第一透光部材１２０・１２０・・・及び第二透光部材１７０・１７０・・・を介して前方に照射する第一の発光演出と、外側部材駆動機構１８０により外側部材１６０を前記第一の状態から前記第二の状態に切り換え、発光源１５０からの光を第一透光部材１２０・１２０・・・を介し、かつ第二透光部材１７０・１７０・・・を介することなく前方に照射する第二の発光演出と、を行うことを特徴とするものである。
【００９９】
このように構成することにより、第一の発光演出にあたっては、第一透光部材１２０・１２０・・・は前方から外側部材１６０に覆われており、当該外側部材１６０には第二透光部材１７０・１７０・・・が設けられているため、遊技者は直接的には第二透光部材１７０・１７０・・・の形状、装飾及び着色等に応じた光模様を視認することになる。しかし、第二透光部材１７０・１７０・・・に入射される光は、第一透光部材１２０・１２０・・・の透光面（前面）を透過したものであり、この光は、透光部材駆動機構１３０により第一透光部材１２０・１２０・・・が駆動されて変化が与えられたものである。このため、遊技者の目に届く光は、第二透光部材１７０・１７０・・・の形状等に応じた光模様に、第一透光部材１２０・１２０・・・を透過する際に付与された変化が加えられるものとなり、第二透光部材１７０・１７０・・・のみを介する場合に比べて光模様が複雑化し、視覚的効果の高い発光演出を行うことができる。
また、第二の発光演出にあたっては、外側部材１６０により第一透光部材１２０・１２０・・・を覆った状態から第一透光部材１２０・１２０・・・を露出させて発光演出を行うため、遊技者に対し、直前まで視認されなかった、或いは視認が困難であった第一透光部材１２０・１２０・・・が突然出現して発光するかのような印象を与えることができ、意外性のある発光演出を行うことができる。
そして、上記の第一の発光演出（内側部材１１０の第一透光部材１２０・１２０・・・及び外側部材１６０の第二透光部材１７０・１７０・・・による複合的な発光演出）と、上記の第二の発光演出（内側部材１１０の第一透光部材１２０・１２０・・・のみの単独的な発光演出）とを組み合わせることで、発光演出のバリエーションを増やして多様化を図りつつ、遊技者に新鮮な印象を与えることが可能な発光演出を提供することができる。
【０１００】
また、第一透光部材１２０・１２０・・・は、所定の着色が付された第一装飾１２１及び第二装飾１２２（装飾）を前記透光面（前面）に有し、遊技者から見て当該装飾が回転するように内側部材１１０に回転可能に配置されることを特徴とするものである。
【０１０１】
このように構成することにより、第一の発光演出にあたっては、第一透光部材１２０・１２０・・・の透光面の装飾が回転することで第一透光部材１２０・１２０・・・を透過する光の発光模様が回転するように変化し、その光が第二透光部材１７０・１７０・・・に入射されるため、第二透光部材１７０・１７０・・・を介して視認される光が変化に富んだものとなってさらに複雑化し、より印象的な発光演出を実現することができる。
また、第二の発光演出にあたっても、第一透光部材１２０・１２０・・・を駆動させれば、発光模様が変化する光に加えて、第一透光部材１２０・１２０・・・の透光面の装飾が回転する様子を遊技者に見せることができ、視覚的効果を高めることができる。
【０１０２】
なお、本実施形態において演出役物１００は麻雀に用いられる点棒の形状を模したものとしたが、本発明はこれに限らず、演出役物１００はその他の形状であっても良い。
また、第一透光部材１２０・１２０・・・及び第二透光部材１７０・１７０・・・の外観（形状、模様、色彩等）は、互いに異なる外観であれば、本実施形態のものに限らず他の外観を有するものであっても良い。
また、本実施形態においては第一透光部材１２０・１２０・・・及び第二透光部材１７０・１７０・・・はそれぞれ複数設けるものとしたが、本発明はこれに限らず、単一の部材で構成された第一透光部材１２０及び第二透光部材１７０をそれぞれ１つだけ設ける構成としても良い。
また、第一透光部材１２０・１２０・・・に施される装飾（第一装飾１２１及び第二装飾１２２）は、本実施形態に限るものではなく、その他の模様や着色からなる装飾であっても良い。また、第二透光部材１７０・１７０・・・に対しても、模様や着色等の装飾を施しても良い。
また、発光源１５０は、第一透光部材１２０・１２０・・・の後方から当該第一透光部材１２０・１２０・・・に向けて光を照射することができるものであれば、ＬＥＤ１５２・１５２・・・の個数等の構成を限定するものではない。
また、必ずしも第一透光部材１２０・１２０・・・の後方に発光源１５０（ＬＥＤ１５２・１５２・・・等）を配置する必要はなく、例えば、第一透光部材１２０・１２０・・・の後方に反射ミラー等の導光部材を配置することで、他の場所から照射される光を当該反射ミラーで反射して第一透光部材１２０・１２０・・・に照射させる構成としても良い。この場合、当該反射ミラー（導光部材）が本発明に係る照光部材の実施の一形態となる。
また、本実施形態に係る外側部材１６０は、第一外側部材１６１及び第二外側部材１６２を備え、当該第一外側部材１６１及び第二外側部材１６２が割れるように互いに離間した隙間から第一透光部材１２０・１２０・・・が視認可能となる（露出する）構成としたが、本発明はこれに限るものではない。例えば、外側部材１６０を単一の部材で構成し、当該部材が第一透光部材１２０・１２０・・・の前方から側方へと摺動することで、第一透光部材１２０・１２０・・・を露出させる構成とすることも可能である。
また、演出役物１００による第二の発光演出（単独的な発光演出）に際しては、必ずしも第一透光部材１２０・１２０・・・を回転（回動）させる必要はなく、当該第一透光部材１２０・１２０・・・の回動を停止した状態で当該第一透光部材１２０・１２０・・・に光を照射しても良い。
【０１０３】
また、本実施形態においては、第一透光部材１２０・１２０・・・・と透光部材駆動機構１３０によって、第一透光部材１２０・１２０・・・を介して前方へと照射される光に変化を与える構成としたが、本発明はこれに限るものではない。
例えば、内側部材１１０に透光性を有する透光窓１９１・１９１・・・を設け（図１８参照）、発光源１５０と透光窓１９１・１９１・・・との間に、所定の着色等がなされた透光性を有する可動部材１９２・１９２・・・（図１８参照）を配置し、当該可動部材１９２・１９２・・・を運動（例えば、所定方向への往復運動や、回転運動）させることにより、発光源１５０から透光窓１９１・１９１・・・へ照射される光に変化を与えることで、当該透光窓１９１・１９１・・・を介して前方へと照射される光に変化を与えることもできる。この場合、当該透光窓１９１・１９１・・・及び可動部材１９２・１９２・・・によって本発明に係る第一の透光部材が構成される。
【０１０４】
また、本実施形態における光の変化とは、本実施形態の如く光の色や影等を変化させるものだけではなく、光の明暗や光が照射される向きを変化させるものであっても良い。
また、外側部材駆動機構１８０は、外側部材１６０を第一の状態と第二の状態との間で切り換え駆動できるものであれば、その構成を限定するものではない。
【符号の説明】
【０１０５】
１：遊技機，１００：演出役物，１１０：内側部材，１２０：第一透光部材，１５０：発光源，１６０：外側部材，１７０：第二透光部材，１８０：外側部材駆動機構
【図１】
2013094465.tif 000003
【図２】
2013094465.tif 000004
【図３】
2013094465.tif 000005
【図４】
2013094465.tif 000006
【図５】
2013094465.tif 000007
【図６】
2013094465.tif 000008
【図７】
2013094465.tif 000009
【図８】
2013094465.tif 000010
【図９】
2013094465.tif 000011
【図１０】
2013094465.tif 000012
【図１１】
2013094465.tif 000013
【図１２】
2013094465.tif 000014
【図１３】
2013094465.tif 000015
【図１４】
2013094465.tif 000016
【図１５】
2013094465.tif 000017
【図１６】
2013094465.tif 000018
【図１７】
2013094465.tif 000019
【図１８】
2013094465.tif 000020